(57)【特許請求の範囲】
【請求項１】
絶対時間情報に基づいて蛇行して形成されたトラックを有し、該トラックにそってピットが形成された光ディスクからの反射光をフォトディテクタを用いて検出し、該検出結果から前記トラックの蛇行に対応して変化するウォブル信号を再生する光ディスクのウォブル信号再生方法において、
前記反射光における前記光ディスクの半径方向に対応した第１辺と、前記反射光における前記トラックの接線方向に対応した第２辺とを有する長方形状を成し、
前記第１辺の長さ及び前記第２辺の長さは、前記反射光の直径以上の長さに設定され、少なくとも前記第１辺が４分割されて形成された４つの互いに独立した受光領域を有し、前記４つの各受光領域に対応して入射光量を表す電気信号を出力するフォトディテクタを用い、
前記反射光における前記光ディスクの半径方向の両端部の光を除去し前記反射光が前記４つの受光領域に跨るように前記フォトディテクタを配置し、
中央部の２つの受光領域のみを用い、
前記中央部の一方の受光領域の受光量から前記中央部の他方の受光領域の受光量を減算した光量に基づいて、ウォブル信号を再生する
ことを特徴とする光ディスクのウォブル信号再生方法。
【請求項２】
絶対時間情報に基づいて蛇行して形成されたトラックを有し該トラックにそってピットが形成された光ディスクからの反射光における前記光ディスクの半径方向に対応した第１辺と、前記反射光における前記トラックの接線方向に対応した第２辺とを有する長方形状を成し、
前記第１辺の長さ及び前記第２辺の長さは、前記反射光の直径以上の長さに設定され、
前記第１辺が４分割されると共に前記第２辺が２分割されて形成された８つの互いに独立した受光領域を有し、
該８つの受光領域は、前記反射光の中心が前記長方形状の中心で受光された場合に、該反射光が該８つの受光領域の全てにかかる位置に形成され、
前記８つの各受光領域に対応して入射光量を表す電気信号を出力するフォトディテクタを用い、
前記反射光が前記８つの受光領域に跨るように前記フォトディテクタを配置し、
前記フォトディテクタの第１辺方向の中央部の４つの受光領域のみを用い、これら４つの受光領域を前記第１辺方向に２つに分け、
前記２つに分けた一方の２つの受光領域の受光量の和を第１光量として求め、
前記２つに分けた他方の２つの受光領域の受光量の和を第２光量として求め、
前記第１光量から前記第２光量を減算した光量に基づいて、ウォブル信号を再生する
ことを特徴とする光ディスクのウォブル信号再生方法。
【請求項３】
絶対時間情報に基づいて蛇行して形成されたトラックを有し、該トラックにそってピットが形成された光ディスクからの反射光を少なくとも前記トラックの左右方向に２分割されたフォトディテクタを用いて検出し、該検出結果から前記トラックの蛇行に対応して変化するウォブル信号を再生する光ディスクのウォブル信号再生装置において、
絶対時間情報に基づいて蛇行して形成されたトラックを有し該トラックにそってピットが形成された光ディスクからの反射光における前記光ディスクの半径方向に対応した第１辺と、前記反射光における前記トラックの接線方向に対応した第２辺とを有する長方形状を成し、
前記第１辺の長さ及び前記第２辺の長さは、前記反射光の直径以上の長さに設定され、
前記第１辺が４分割されると共に前記第２辺が２分割されて形成された８つの互いに独立した受光領域を有し、
該８つの受光領域は、前記反射光の中心が前記長方形状の中心で受光された場合に、該反射光が該８つの受光領域の全てにかかる位置に形成され、
前記８つの各受光領域に対応して入射光量を表す電気信号を出力するフォトディテクタと、
前記フォトディテクタの第１辺方向の中央部の４つの受光領域を前記第１辺方向に２分割したうちの一方に存在する２つの受光領域から出力される電気信号に基づいてこれら２つの受光領域の受光量の合計を求める第１演算手段と、
前記２分割したうちの他方に存在する２つの受光領域から出力される電気信号に基づいてこれら２つの受光領域の受光量の合計を求める第２演算手段と、
前記第１演算手段によって得られた受光量から前記第２演算手段によって得られた受光量を減算した受光量を表す電気信号をウォブル信号として出力する出力手段とを備えた
ことを特徴とする光ディスクのウォブル信号再生装置。
【請求項４】
前記８つの受光領域のうちの中央部の４つの受光領域は互いに等しい面積を有していることを特徴とする請求項３に記載の光ディスクのウォブル信号再生装置。
【請求項５】
前記フォトディテクタは、各受光領域の受光量に対応した電圧レベル若しくは電流レベルを有する電気信号を出力し、
前記第１合計手段、第２合計手段及び出力手段は演算増幅器を含んでいる
ことを特徴とする請求項３又は４に記載の光ディスクのウォブル信号再生装置。
【発明の詳細な説明】
【０００１】
【発明の属する技術分野】
本発明は、光ディスクの情報記録再生装置に用いられるウォブル信号再生方法及びその装置に関するものである。
【０００２】
【従来の技術】
従来、一般にＣＤ−Ｒと称される追記型光ディスク（ＣＤ−ＷＯ）等の記録可能な光ディスク１には、図２に示すようにその記録領域に予め僅かな振幅でうねっている（蛇行している）トラック２がスパイラル状に形成されている。このトラックのうねりは、ＡＴＩＰ (Absolute Time In Pregroove) データと呼ばれる絶対時間情報を表すものであり、22.05KHzを基本周波数とし、その周波数はＡＴＩＰデータの１ビットに対応する長さ（周波数44.1KHz の７周期分）毎にビットの内容、即ちこのビットが「１」であるか「０」であるかに応じて±１ＫＨｚ変化するようにＦＳＫ(Frequency Shift Keying)変調されている。
【０００３】
また、ＡＴＩＰデータは、１フレームが１定数（８４ビット）のビットを含み且つ所定の位置に固定パターンのフレーム同期信号を備えたビット列からなる多数の連続したフレームで構成され、各フレームは周波数７５Ｈｚの周期で繰り返されている。
【０００４】
一方、前述した記録可能な光ディスクに音声、映像等の情報を記録する場合は、曲のチャンネル数、プリエンファシスの有無、曲の番号、曲の始まりからの時間、ディスク最内周からの絶対時間等を表す制御情報、即ちサブコードデータも同時に記録される。このサブコードデータは、１フレームが一定数（９８ビット）のビット（但し、１ビットに対応する単位長さはＡＴＩＰデータの場合とは異なる）を含み且つ所定の位置に固定パターンのフレーム同期信号を備えたビット列からなる多数のフレームで構成され、各フレームは周波数７５Ｈｚの周期で記録される。
【０００５】
ここで、実際に光ディスクに情報を記録する場合には、ＡＴＩＰデータとサブコードデータとをフレーム同期させて記録しなければならないことが規格により定められているため、ＡＴＩＰデータを再生する必要がある。このため、従来ＡＴＩＰデータを再生する際には、前述したうねりを検出してうねりの周期を有するアナログ信号（ウォブル信号）として再生し、アナログＰＬＬ回路等を用いたＦＳＫ復調回路によって復調を行っていた。
【０００６】
しかし、ウォブル信号の再生においては、次のような問題点があった。
【０００７】
即ち、トラッキング誤差信号は、光ピックアップのフォトディテクタ上で光ディスクより反射された戻り光の左右の差を取ったものである。従って、対物レンズが光ディスクの偏芯に追従して移動した場合、当然光ピックアップ内のフォトディテクタ上でも戻り光のスポットは左右に移動する。ここで、戻り光にノイズがある場合を考えると、各フォトディテクタへの入射光強度が全て同レベルであるならば、トラッキング誤差信号にノイズが重畳することはないが、左右の入射光強度のレベルが異なるときは、トラッキング誤差信号にノイズやＥＦＭ信号成分が重畳して、ウォブル信号ＷＢのＣ／Ｎを低下させてしまう。
【０００８】
例えば、前述したような追記型の光ディスクには、情報が記録された領域と、未記録の領域が存在し、情報が記録されている領域においてウォブル信号を再生する場合、光ディスクに偏芯等があればウォブル信号に記録情報の信号成分、即ちＥＦＭ信号成分が重畳してＣ／Ｎを低下させ、正確にＡＴＩＰデータを再生できず、サーチに大きな支障をきたして動作不良を引き起こしてしまう。
【０００９】
このような、動作不良を低減するために、例えば、１ビームプッシュプル法では、特開平９−３２６１２２号公報に開示されるような回路構成でウォブル信号を再生していた。
【００１０】
即ち、ウォブル信号再生装置は、図３に示すように、１ビームプッシュプル法を用いた光ピックアップ１０、加算増幅器２１Ａ，２１Ｂ、コンデンサ２２Ａから２２Ｄ、可変増幅器２３、減算器２４、電子スイッチ２５、ローパスフィルタ（ＬＰＦ）２６、バンドパスフィルタ（ＢＰＦ）２７から構成されている。ここで、コンデンサ２２Ｄはホールドコンデンサである。
【００１１】
光ピックアップ１０は、周知の４分割のフォトディテクタ１１を備え、トラックの左側に位置する受光領域１１ａ、１１ｄの合計受光量及び右側に位置する受光領域１１ｂ，１１ｃの合計受光量を用いてトラッキング補正を、また対角線上に位置する受光領域１１ａ、１１ｃの合計受光量及び受光領域１１ｂ，１１ｄの合計受光量を用いて非点収差法等によりフォーカス補正を行えるものである。
【００１２】
加算増幅器２１Ａは光ピックアップ１０の受光領域１１ａ，１１ｄから出力される電圧を入力してこれらを加算した電圧Ｖ１を出力し、加算増幅器２１Ｂは光ピックアップ１０の受光領域１１ｂ，１１ｃから出力される電圧を入力してこれらを加算した電圧Ｖ２を出力する。
【００１３】
さらに、加算増幅器２１Ａから出力された電圧Ｖ１は、結合コンデンサ２２Ａを介して可変増幅回路２３に入力され、可変増幅回路２３によって、制御電圧Ｖconに基づいて電圧値が所定値に変えられた電圧Ｖ３として減算器２４の非反転入力端子に入力される。減算器２４の反転入力端子には結合コンデンサ２２Ｂを介して電圧Ｖ２が入力され、減算器２４はこれらの差を差信号Ｖ４として出力する。この差信号Ｖ４は電子スイッチ２５の第１の接点に入力されると共にバンドパスフィルタ２７に入力される。
【００１４】
電子スイッチ２５の第２の接点は開放され、接片はローパスフィルタ２６の入力端子に接続されると共にホールドコンデンサ２２Ｃを介して接地されている。
【００１５】
また、電子スイッチ２５は、ＲＦ信号から再生されたＥＦＭ信号によって切り替えられ、ＥＦＭ信号がハイレベルのとき接片は前記第１の接点に接続され、ローレベルのとき接片は前記第２の接点に接続される。
【００１６】
ここで、電子スイッチ２５とホールドコンデンサ２２Ｃによってサンプルホールド回路が構成される。
【００１７】
差信号Ｖ４は、電子スイッチ２５を介してローパスフィルタ２６に入力されると、ローパスフィルタ２６によって差信号Ｖ４から所定の周波数、例えば４０ＫＨｚ以下の周波数成分のみが抽出されて、前述した制御電圧Ｖconとして出力される。
【００１８】
一方、バンドパスフィルタ２７に入力された差信号Ｖ４は、バンドパスフィルタ２７によって所定の周波数帯域内の周波数成分、即ちウォブル信号の周波数２２．０５ＫＨｚを中心とする所定周波数帯域内の周波数成分のみが抽出され、これがウォブル信号ＷＢとして出力される。
【００１９】
上記構成によれば、光ディスク上の情報が記録されている、即ちピットが形成されているトラックを再生するとそのＲＦ信号はＥＦＭ信号によって変調されたものとなる。従って、ＲＦ信号からＥＦＭ信号を再生することができる。
【００２０】
しかし、ウォブル信号の再生に必要とする電圧Ｖ１，Ｖ２もＥＦＭ信号が混入したものとなると共に、電圧Ｖ１，Ｖ２のレベルは違ったものとなっている。ここで、これらの電圧Ｖ１，Ｖ２に混入するＥＦＭ信号成分が等しくなるように、可変増幅回路２３によって電圧Ｖ１のレベルを補正した電圧Ｖ３を生成し、さらにこの電圧Ｖ３と電圧Ｖ２との差信号Ｖ４を減算器２４によって生成することにより、ＥＦＭ成分の混入しない電圧Ｖ４を得て、この電圧Ｖ４からウォブル信号を再生している。
【００２１】
可変増幅器２３における電圧Ｖ１の補正に当たっては、ＥＦＭ信号がハイレベルＨのときにのみ差信号Ｖ４をローパスフィルタ２６に入力し、ローパスフィルタ２６によって差信号Ｖ４の包絡線成分、即ちＥＦＭ信号成分を抽出し、これを制御電圧Ｖconとして電圧Ｖ１を補正している。
【００２２】
従って、電圧Ｖ３のレベルは電圧Ｖ２のレベルとほぼ同レベルとされるので、電圧Ｖ３のノイズ成分及びＥＦＭ信号成分と電圧Ｖ２のノイズ成分及びＥＦＭ信号成分とが相殺され、ノイズ成分及びＥＦＭ信号成分が低減或いは除去されたウォブル信号ＷＢが生成される。
【００２３】
【発明が解決しようとする課題】
しかしながら、近年における情報記録密度の増大化に伴い、光ディスクに形成されているトラックの幅が狭くなると共に隣接するトラックの間隔が狭くなり、隣接トラックからのクロストークが生じてウォブル信号ＷＢのＣ／Ｎが低下し、ＡＴＩＰデータの読み取り不能が多々生じていた。
【００２４】
即ち、前述したＣＤ−Ｒと称されていた６４０ＭＢライトワンスメディアの光ディスクでは記録時間が６３分、７４分、８０分と長くなるにつれてトラックピッチが狭くなり、今後この傾向は顕著になってゆくものと考えられる。
【００２５】
このため、図４に示すように、トラック３上の光スポット４が隣接トラックにかかることなくトラッキングできたものが、図５に示すように、トラック５上の光スポット６が隣接トラックにかかってしまう場合が出てくる。
【００２６】
このため、ウォブル信号再生では、隣接トラックからのクロストークが生じてウォブル信号ＷＢのＣ／Ｎが低下し、ＡＴＩＰデータの読み取りが不能になることがあった。
【００２７】
本発明の目的は上記の問題点に鑑み、情報記録密度の高い光ディスクにおいても、簡単な構成で常に正確なウォブル信号を再生できる光ディスクのウォブル信号再生方法及びその装置を提供することである。
【００２８】
【課題を解決するための手段】
本発明は上記の目的を達成するために請求項１では、絶対時間情報に基づいて蛇行して形成されたトラックを有し、該トラックにそってピットが形成された光ディスクからの反射光をフォトディテクタを用いて検出し、該検出結果から前記トラックの蛇行に対応して変化するウォブル信号を再生する光ディスクのウォブル信号再生方法において、前記反射光における前記光ディスクの半径方向に対応した第１辺と、前記反射光における前記トラックの接線方向に対応した第２辺とを有する長方形状を成し、前記第１辺の長さ及び前記第２辺の長さは、前記反射光の直径以上の長さに設定され、少なくとも前記第１辺が４分割されて形成された４つの互いに独立した受光領域を有し、前記４つの各受光領域に対応して入射光量を表す電気信号を出力するフォトディテクタを用い、前記反射光における前記光ディスクの半径方向の両端部の光を除去し前記反射光が前記４つの受光領域に跨るように前記フォトディテクタを配置し、中央部の２つの受光領域のみを用い、前記中央部の一方の受光領域の受光量から前記中央部の他方の受光領域の受光量を減算した光量に基づいて、ウォブル信号を再生する光ディスクのウォブル信号再生方法を提案する。
【００２９】
該光ディスクのウォブル信号再生方法によれば、前記反射光を受光する際に、前記第１辺が前記反射光における前記光ディスクの半径方向に一致するように配置される。さらにこのとき、前記反射光が前記４つの受光領域に跨るように配置される。これにより、隣接トラックからからの反射光成分は、前記第１辺方向の外側の受光領域に照射される。
【００３０】
さらに、中央部に位置する２つの受光領域から出力される電気信号のみを用いることにより、隣接トラックからからの反射光成分が除去され、これら２つの受光領域のうちの一方の受光領域の受光量と他方の受光領域の受光量との差の受光量を表す電気信号が求められ、隣接トラックからの反射光成分を除いたウォブル信号が得られる。
【００３１】
また、請求項２では、絶対時間情報に基づいて蛇行して形成されたトラックを有し該トラックにそってピットが形成された光ディスクからの反射光における前記光ディスクの半径方向に対応した第１辺と、前記反射光における前記トラックの接線方向に対応した第２辺とを有する長方形状を成し、前記第１辺の長さ及び前記第２辺の長さは、前記反射光の直径以上の長さに設定され、前記第１辺が４分割されると共に前記第２辺が２分割されて形成された８つの互いに独立した受光領域を有し、該８つの受光領域は、前記反射光の中心が前記長方形状の中心で受光された場合に、該反射光が該８つの受光領域の全てにかかる位置に形成され、前記８つの各受光領域に対応して入射光量を表す電気信号を出力するフォトディテクタを用い、前記反射光が前記８つの受光領域に跨るように前記フォトディテクタを配置し、前記フォトディテクタの第１辺方向の中央部の４つの受光領域のみを用い、これら４つの受光領域を前記第１辺方向に２つに分け、前記２つに分けた一方の２つの受光領域の受光量の和を第１光量として求め、前記２つに分けた他方の２つの受光領域の受光量の和を第２光量として求め、前記第１光量から前記第２光量を減算した光量に基づいて、ウォブル信号を再生する光ディスクのウォブル信号再生方法を提案する。
【００３２】
該光ディスクのウォブル信号再生方法によれば、前記反射光を受光する際に、前記第１辺が前記反射光における前記光ディスクの半径方向に一致するように配置される。さらにこのとき、前記反射光が前記８つの受光領域に跨るように配置される。これにより、隣接トラックからからの反射光成分は、前記第１辺方向の外側の受光領域に照射される。
【００３３】
さらに、中央部に位置する４つの受光領域から出力される電気信号のみを用い、これら４つの受光領域のうち、前記第２辺に平行な境界線の一方の側の２つの受光領域の受光量の合計と他方の側の２つの受光領域の受光量の合計とを求め、これらの差の受光量を表す電気信号が求められ、隣接トラックからの反射光成分を除いたウォブル信号が得られる。
【００３４】
また、情報再生に使用する高周波信号（ＲＦ信号）が、８つの受光領域のそれぞれに対応して出力される電気信号に基づいて、８つの受光領域の入射光量の合計を表す電気信号を求めることにより得られる。
【００３５】
また、フォーカスエラー信号（ＦＥ信号）が、前記フォトディテクタの受光面における一方の対角線上に位置する４つの受光領域の受光量の合計から他方の対角線上に位置する４つの受光領域の受光量の合計を減算した光量を表す電気信号を求めることにより得られる。
【００３６】
また、トラッキングエラー信号（ＴＥ信号）が、前記第２辺に平行な中央の境界線の一方の側の４つの受光領域の受光量の合計と他方の側の４つの受光領域の受光量の合計とを求め、これらの差の受光量を表す電気信号を求めることにより得られる。
【００３７】
また、請求項３では、絶対時間情報に基づいて蛇行して形成されたトラックを有し、該トラックにそってピットが形成された光ディスクからの反射光を少なくとも前記トラックの左右方向に２分割されたフォトディテクタを用いて検出し、該検出結果から前記トラックの蛇行に対応して変化するウォブル信号を再生する光ディスクのウォブル信号再生装置において、絶対時間情報に基づいて蛇行して形成されたトラックを有し該トラックにそってピットが形成された光ディスクからの反射光における前記光ディスクの半径方向に対応した第１辺と、前記反射光における前記トラックの接線方向に対応した第２辺とを有する長方形状を成し、前記第１辺の長さ及び前記第２辺の長さは、前記反射光の直径以上の長さに設定され、前記第１辺が４分割されると共に前記第２辺が２分割されて形成された８つの互いに独立した受光領域を有し、該８つの受光領域は、前記反射光の中心が前記長方形状の中心で受光された場合に、該反射光が該８つの受光領域の全てにかかる位置に形成され、前記８つの各受光領域に対応して入射光量を表す電気信号を出力するフォトディテクタと、前記フォトディテクタの第１辺方向の中央部の４つの受光領域を前記第１辺方向に２分割したうちの一方に存在する２つの受光領域から出力される電気信号に基づいてこれら２つの受光領域の受光量の合計を求める第１演算手段と、前記２分割したうちの他方に存在する２つの受光領域から出力される電気信号に基づいてこれら２つの受光領域の受光量の合計を求める第２演算手段と、前記第１演算手段によって得られた受光量から前記第２演算手段によって得られた受光量を減算した受光量を表す電気信号をウォブル信号として出力する出力手段とを備えた光ディスクのウォブル信号再生装置を提案する。
【００３８】
該光ディスクのウォブル信号再生装置によれば、第１演算手段によって、前記フォトディテクタの第１辺方向の中央部の４つの受光領域を前記第１辺方向に２分割したうちの一方に存在する２つの受光領域から出力される電気信号に基づいてこれら２つの受光領域の受光量の合計が求められる。また、第２演算手段によって、前記２分割したうちの他方に存在する２つの受光領域から出力される電気信号に基づいてこれら２つの受光領域の受光量の合計が求められ。さらに、出力手段によって、前記第１演算手段によって得られた受光量から前記第２演算手段によって得られた受光量が減算された受光量を表す電気信号がウォブル信号として出力される。従って、隣接トラックからの反射光成分を含まないウォブル信号を得ることができる。
【００３９】
また、請求項４では、請求項３に記載の光ディスクのウォブル信号再生装置において、前記８つの受光領域のうちの中央部の４つの受光領域は互いに等しい面積を有している光ディスクのウォブル信号再生装置を提案する。
【００４０】
該光ディスクのウォブル信号再生装置によれば、前記フォトディテクタの中央の４つの受光領域が互いに等しい面積を有しているので、該４つの受光領域の交点に反射光の中心を位置させることにより、エラーが生じてない状態において各受光領域の受光量はほぼ等しくなる。
【００４１】
また、請求項５では、請求項３又は４に記載の光ディスクのウォブル信号再生装置において、前記フォトディテクタは、各受光領域の受光量に対応した電圧レベル若しくは電流レベルを有する電気信号を出力し、前記第１合計手段、第２合計手段及び出力手段は演算増幅器を含んでいる光ディスクのウォブル信号再生装置を提案する。
【００４２】
該光ディスクのウォブル信号再生装置によれば、前記フォトディテクタからは各受光領域の受光量に対応した電圧レベル若しくは電流レベルを有する電気信号が出力され、この電気信号が演算増幅器によって演算処理されてウォブル信号が再生される。
【００４３】
【発明の実施の形態】
以下、図面に基づいて、本発明の一実施形態を説明する。
【００４４】
図１は、本発明の一実施形態における光ディスクのウォブル信号再生装置を示す構成図である。図において、前述した従来例と同一構成部分は同一符号をもって表しその説明を省略する。また、本実施形態と従来例との相違点は、８つの受光領域Ａ〜Ｈを有するフォトディテクタ３１を設けた光ピックアップ３０を備えている。
【００４５】
フォトディテクタ３１は、受光面が長方形を成し、長辺の長さ及び短辺の長さは、光ディスクからの反射光の直径以上の長さに設定され、短辺方向に２等分割、長辺方向に４分割され、互いに独立した受光領域Ａ〜Ｈを有している。これらの受光領域Ａ〜Ｈ毎に受光量に対応した電圧レベルを有する電気信号を出力する。
【００４６】
さらに、中央部の４つの受光領域Ａ，Ｂ，Ｃ，Ｄとこれらに隣接する外縁部の４つの受光領域Ｅ，Ｆ，Ｇ，Ｈとの境界は、反射光を分割できる位置に形成され、中央部の４つの受光領域Ａ，Ｂ，Ｃ，Ｄは互いに等しい面積を有している。
【００４７】
即ち、図１に対向して上側には左から受光領域Ｅ，Ａ，Ｂ，Ｆの順に配列され、下側には左から受光領域Ｇ，Ｃ，Ｄ，Ｈの順に配列されている。
【００４８】
また、フォトディテクタ３１は、光ディスクからの反射光における光ディスクの半径方向（以下ラジアル方向と称する）Ｒに、フォトディテクタ３１の長辺が一致するように、また、トラックの接線方向（以下、タンジェンシャル方向と称する）Ｔにフォトディテクタ３１の短辺が一致するように配置されている。さらに、フォトディテクタ３１は、図６に示すように、正常時において、光ディスクからの反射光７が８つの受光領域Ａ〜Ｈに跨って照射されると共に、反射光７の中心が中央部の４つの受光領域Ａ，Ｂ，Ｃ，Ｄの交点に一致するように配置されている。
【００４９】
一方、本実施形態の装置では、情報再生に使用する高周波信号（ＲＦ信号）、フォーカスエラー信号（ＦＥ信号）、及びトラッキングエラー信号（ＴＥ信号）を得るために、演算増幅器からなる加算増幅器４１〜４９と減算器５１，５２を備えている。これらの加算増幅器４１〜４９と減算器５１，５２には、次のように接続されている。即ち、受光領域Ａの電気信号出力は、加算増幅器２１Ａの一方の入力端子と加算機４１の一方の入力端子に接続され、受光領域Ｂの電気信号出力は、加算増幅器２１Ｂの一方の入力端子と加算機４２の一方の入力端子に接続されている。
【００５０】
受光領域Ｃの電気信号出力は、加算増幅器２１Ｂの一方の入力端子と加算機４４の一方の入力端子に接続され、受光領域Ｄの電気信号出力は、加算増幅器２１Ｂの他方の入力端子と加算機４３の一方の入力端子に接続されている。
【００５１】
受光領域Ｅの電気信号出力は、加算増幅器４１の他方の入力端子に接続され、受光領域Ｆの電気信号出力は、加算増幅器４２の他方の入力端子に接続されている。
【００５２】
受光領域Ｇの電気信号出力は、加算増幅器４４の他方の入力端子に接続され、受光領域Ｈの電気信号出力は、加算増幅器４３の他方の入力端子に接続されている。
【００５３】
また、加算増幅器４１の出力端子は加算増幅器４５の一方の入力端子と加算増幅器４６の一方の入力端子に接続され、加算増幅器４２の出力端子は加算増幅器４７の一方の入力端子と加算増幅器４８の一方の入力端子に接続されている。
【００５４】
加算増幅器４３の出力端子は加算増幅器４５の他方の入力端子と加算増幅器４８の他方の入力端子に接続され、加算増幅器４４の出力端子は加算増幅器４６の他方の入力端子と加算増幅器４７の他方の入力端子に接続されている。
【００５５】
さらに、加算増幅器４５の出力端子は加算増幅器４９の一方の入力端子と減算器５１の非反転入力端子に接続され、加算増幅器４６の出力端子は減算器５２の非反転入力端子に接続されている。
【００５６】
加算増幅器４７の出力端子は加算増幅器４９の他方の入力端子と減算器５１の反転入力端子に接続され、加算増幅器４８の出力端子は減算器５２の反転入力端子に接続されている。
【００５７】
これにより、減算器２２Ａからバンドパスフィルタ２８を介してウォブル信号ＷＢが出力される。
【００５８】
本実施形態では、ウォブル信号の再生においては、図６に示す中央部の４つの受光領域Ａ〜Ｄのみを使用しているので、光ディスクからの反射光７における光ディスクの半径方向の両端部の光、即ち隣接トラックからの反射光成分を除去することができる。これにより、隣接トラックからの反射光成分が除去されるので、中央部の光のみを用いて、隣接トラックからのクロストークのないウォブル信号が再生される。従って、ウォブル信号のＣ／Ｎの低下を防止することができるので、容易にＡＴＩＰデータの読み取りを行うことができる。
【００５９】
また、加算増幅器４９からＲＦ信号が出力され、減算器５１からフォーカスエラー信号（ＦＥ信号）が出力され、減算器５２からトラッキングエラー信号（ＴＥ信号）が出力される。
【００６０】
即ち、情報再生に使用する高周波信号（ＲＦ信号）は、８つの受光領域Ａ〜Ｈのそれぞれに対応して出力される電気信号の電圧レベルが、加算増幅器４１〜４５，４７，４９によって全て合計され、８つの受光領域の入射光量の合計尼僧等する電圧レベルを有する電気信号が加算増幅器４９から出力される。
【００６１】
また、フォーカスエラー信号（ＦＥ信号）は、フォトディテクタ３１の受光面における一方の対角線上に位置する４つの受光領域Ａ，Ｄ，Ｅ，Ｈの受光量の合計から他方の対角線上に位置する４つの受光領域Ｂ，Ｃ，Ｆ，Ｇの受光量の合計を減算した光量を表す電気信号を求めることにより得られる。
【００６２】
本実施形態では、フォトディテクタ３１の受光面における一方の対角線上に位置する４つの受光領域Ａ，Ｄ，Ｅ，Ｈの受光量の合計に相当する電圧レベルを有する電気信号が加算増幅器４５から出力される。また、フォトディテクタ３１の受光面における他方の対角線上に位置する４つの受光領域Ｂ，Ｃ，Ｆ，Ｇの受光量の合計に相当する電圧レベルを有する電気信号が加算増幅器４７から出力される。減算器５１によって、加算増幅器４５の出力信号の電圧レベルから加算増幅器４７の出力信号の電圧レベルを減算した電圧レベルを有する電気信号がフォーカスエラー信号（ＦＥ信号）として出力される。
【００６３】
また、トラッキングエラー信号（ＴＥ信号）は、前記第２辺に平行な中央の境界線の一方の側の４つの受光領域の受光量の合計と他方の側の４つの受光領域の受光量の合計とを求め、これらの差の受光量を表す電気信号を求めることにより得られる。
【００６４】
本実施形態では、フォトディテクタ３１をラジアル方向２分割する中央の境界線の一方の側の４つの受光領域Ａ，Ｃ，Ｅ，Ｇの受光量の合計に相当する電圧レベルを有する電気信号が加算増幅器４６から出力される。また、前記中央の境界線の他方の側の４つの受光領域Ｂ，Ｄ，Ｆ，Ｈの受光量の合計に相当する電圧レベルを有する電気信号が加算増幅器４８から出力される。減算器５２によって、加算増幅器４６の出力信号の電圧レベルから加算増幅器４８の出力信号の電圧レベルを減算した電圧レベルを有する電気信号がトラッキングエラー信号（ＴＥ信号）として出力される。
【００６５】
尚、本実施形態の構成は一例であって、本発明が上記構成に限定されることはない。
【００６６】
また、４つの受光領域Ａ〜Ｄのみを有するフォトディテクタを用い、フォトディテクタに照射される反射光における、隣接トラックからの反射光成分の部分を遮光板等によって遮光してフォトディテクタに入射させるようにしても同様の効果を得ることができる。
【００６７】
【発明の効果】
以上説明したように本発明の請求項１及び請求項２記載の光ディスクのウォブル信号再生方法によれば、光ディスクからの反射光における光ディスクの半径方向の両端部の光を除去することにより、隣接トラックからの反射光成分が除去されるので、中央部の光のみを用いることにより、隣接トラックからのクロストークのないウォブル信号が再生され、ウォブル信号のＣ／Ｎの低下を防止することができるので、容易にＡＴＩＰデータの読み取りを行うことができる。
【００６８】
また、中央部に位置する２つの受光領域から出力される電気信号のみを用いウォブル信号を再生しているので、隣接トラックからからの反射光成分を非常に簡単に除去することができる。これにより、ウォブル信号のＣ／Ｎの低下を防止することができるので、容易にＡＴＩＰデータの読み取りを行うことができる。
【００６９】
また、情報再生に使用する高周波信号（ＲＦ信号）、フォーカスエラー信号（ＦＥ信号）及びトラッキングエラー信号（ＴＥ信号）を得ることができる。
【００７０】
また、請求項３乃至請求項５記載の光ディスクのウォブル信号再生装置によれば、隣接トラックからの反射光成分を含まないウォブル信号を得ることができるので、ウォブル信号のＣ／Ｎの低下を防止することができ、容易にＡＴＩＰデータの読み取りを行うことができる。
【図面の簡単な説明】
【図１】本発明の一実施形態におけるウォブル信号再生装置を示す構成図
【図２】追記型光ディスクのトラックのうねりを説明する図
【図３】従来例のウォブル信号再生装置を示す構成図
【図４】ＣＤ−Ｒにおけるトラックと光スポットとの関係を説明する図
【図５】ＤＶＤ−Ｒにおけるトラックと光スポットとの関係を説明する図
【図６】本発明の一実施形態におけるフォトディテクタと反射光との関係を説明する図
【符号の説明】
１…光ディスク、２…トラック、３，５…トラック、４，６…光スポット、７…反射光、１０…光ピックアップ、１１…フォトディテクタ、１１ａ〜１１ｄ…受光領域、２１Ａ，２１Ｂ…加算増幅器、２２Ａ〜２２Ｃ…コンデンサ、２３…可変増幅回路、２４…減算器、２５…電子スイッチ、２６…ローパスフィルタ（ＬＰＦ）、２７…バンドパスフィルタ（ＢＰＦ）、３０…光ピックアップ、３１…フォトディテクタ、Ａ〜Ｈ…受光領域、４１〜４９…加算増幅器、５１，５２…減算器。
【図１】
0003574024.tif 000002
【図２】
0003574024.tif 000003
【図３】
0003574024.tif 000004
【図４】
0003574024.tif 000005
【図５】
0003574024.tif 000006
【図６】
0003574024.tif 000007